【手続補正書】
【提出日】平成22年12月14日(2010.12.14)
【手続補正１】
【補正対象書類名】特許請求の範囲
【補正対象項目名】請求項１
【補正方法】変更
【補正の内容】
【請求項１】
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、前記メイン制御手段が動作を行うためのデータの読み出し及び書き込みが行われることのない未使用領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用領域を１ゲーム毎に初期化し、
前記制御情報送信手段は、前記特別入賞が発生したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別入賞が発生したゲームにおいては該計時手段により計時された経過時間が所定時間に到達したときに前記賭数設定禁止手段による賭数の設定の禁止を解除し、
前記計時手段は、前記経過時間が前記所定時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別入賞が発生したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別入賞の発生を示す制御情報を受信したときに、前記所定時間以内の期間にわたり特別入賞が発生した旨を示す特別入賞時演出を実行する特別入賞時演出実行手段を含み、
該特別入賞時演出実行手段による特別入賞時演出が開始した後、該特別入賞時演出が終了する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出実行手段による前記特別入賞時演出を最初から実行するとともに、
該特別入賞時演出の実行中において新たに制御情報を受信した場合には、実行中の特別入賞時演出を終了して新たに受信した制御情報の種類に対応して定められた演出内容の演出を実行する、
ことを特徴とするスロットマシン。
【手続補正２】
【補正対象書類名】特許請求の範囲
【補正対象項目名】請求項２
【補正方法】変更
【補正の内容】
【請求項２】
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、前記メイン制御手段が動作を行うためのデータの読み出し及び書き込みが行われることのない未使用領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用領域を１ゲーム毎に初期化し、
前記制御情報送信手段は、前記特別遊技状態における終了条件が成立したゲームにおいて、前記ゲーム終了判定手段がゲームの終了を判定したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別遊技状態における終了条件が成立したゲームにおいては該計時手段により計時された経過時間が予め定められた時間に到達したときに前記賭数設定禁止手段による賭数の設定の禁止を解除し、
前記計時手段は、前記経過時間が前記予め定められた時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別遊技状態における終了条件が成立したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別遊技状態における終了条件が成立したゲームの終了を示す制御情報を受信したときに、前記予め定められた時間以内の期間にわたり特別遊技状態が終了した旨を示す終了演出を実行する終了演出実行手段を含み、
該終了演出実行手段による終了演出が開始した後、該終了演出が終了する前に当該スロットマシンへの電力供給が停止した後、当該スロットマシンへの電力供給が再開され、前記サブ制御状態復帰手段により前記サブ制御手段の制御状態が復帰した場合に、前記終了演出実行手段による前記終了演出を最初から実行するとともに、
該終了演出の実行中において新たに制御情報を受信した場合には、実行中の終了演出を終了して新たに受信した制御情報の種類に対応して定められた演出内容の演出を実行する、
ことを特徴とするスロットマシン。
【手続補正３】
【補正対象書類名】特許請求の範囲
【補正対象項目名】請求項４
【補正方法】変更
【補正の内容】
【請求項４】
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、データを一時的に格納することが可能なスタック領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メイン制御手段が使用中のデータを前記スタック領域に退避するデータ退避手段と、
前記退避手段により前記スタック領域に退避したデータを前記メイン制御手段が使用するデータとして復帰させるデータ復帰手段と、
前記スタック領域のうち前記データ退避手段により退避したデータが記憶されていない未使用スタック領域を特定する未使用スタック領域特定手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用スタック領域特定手段により特定される未使用スタック領域を１ゲーム毎に初期化し、
前記制御情報送信手段は、前記特別入賞が発生したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別入賞が発生したゲームにおいては該計時手段により計時された経過時間が所定時間に到達したときに前記賭数設定禁止手段による賭数の設定の禁止を解除し、
前記計時手段は、前記経過時間が前記所定時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別入賞が発生したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別入賞の発生を示す制御情報を受信したときに、前記所定時間以内の期間にわたり特別入賞が発生した旨を示す特別入賞時演出を実行する特別入賞時演出実行手段を含み、
該特別入賞時演出実行手段による特別入賞時演出が開始した後、該特別入賞時演出が終了する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出実行手段による前記特別入賞時演出を最初から実行するとともに、
該特別入賞時演出の実行中において新たに制御情報を受信した場合には、実行中の特別入賞時演出を終了して新たに受信した制御情報の種類に対応して定められた演出内容の演出を実行する、
ことを特徴とするスロットマシン。
【手続補正４】
【補正対象書類名】特許請求の範囲
【補正対象項目名】請求項５
【補正方法】変更
【補正の内容】
【請求項５】
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、データを一時的に格納することが可能なスタック領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メイン制御手段が使用中のデータを前記スタック領域に退避するデータ退避手段と、
前記退避手段により前記スタック領域に退避したデータを前記メイン制御手段が使用するデータとして復帰させるデータ復帰手段と、
前記スタック領域のうち前記データ退避手段により退避したデータが記憶されていない未使用スタック領域を特定する未使用スタック領域特定手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用スタック領域特定手段により特定される未使用スタック領域を１ゲーム毎に初期化し、
前記制御情報送信手段は、前記特別遊技状態における終了条件が成立したゲームにおいて、前記ゲーム終了判定手段がゲームの終了を判定したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別遊技状態における終了条件が成立したゲームにおいては該計時手段により計時された経過時間が予め定められた時間に到達したときに前記賭数設定禁止手段による賭数の設定の禁止を解除し、
前記計時手段は、前記経過時間が前記予め定められた時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別遊技状態における終了条件が成立したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別遊技状態における終了条件が成立したゲームの終了を示す制御情報を受信したときに、前記予め定められた時間以内の期間にわたり特別遊技状態が終了した旨を示す終了演出を実行する終了演出実行手段を含み、
該終了演出実行手段による終了演出が開始した後、該終了演出が終了する前に当該スロットマシンへの電力供給が停止した後、当該スロットマシンへの電力供給が再開され、前記サブ制御状態復帰手段により前記サブ制御手段の制御状態が復帰した場合に、前記終了演出実行手段による前記終了演出を最初から実行するとともに、
該終了演出の実行中において新たに制御情報を受信した場合には、実行中の終了演出を終了して新たに受信した制御情報の種類に対応して定められた演出内容の演出を実行する、
ことを特徴とするスロットマシン。
【手続補正５】
【補正対象書類名】特許請求の範囲
【補正対象項目名】請求項９
【補正方法】変更
【補正の内容】
【請求項９】
前記スロットマシンで用いられる所定の電力の状態を監視し、電力供給が断たれたことに関わる電断条件が成立しているときに電断信号を出力する電断検出手段を備え、
前記メイン制御手段は、
前記メインデータ記憶手段における前記未使用領域及び／または前記未使用スタック領域を含む全ての記憶領域のデータを所定の演算方法にて計算するデータ演算手段と、
前記電断検出手段から出力された前記電断信号の入力を契機に、前記データ演算手段による計算結果を特定の値とするための調整用データを算出し、該算出した調整用データを前記メインデータ記憶手段に格納する電断処理を実行する電断処理実行手段と、
を含み、
前記記憶データ判定手段は、前記スロットマシンへの電源投入時に、前記データ演算手段による計算結果が前記特定の値か否かを判定し、該データ演算手段による計算結果が前記特定の値であると判定したことを条件に、前記保持手段により保持されている前記メイン制御手段が動作を行うためのデータが電源遮断前のデータと一致すると判定する、
ことを特徴とする請求項１〜８のいずれかに記載のスロットマシン。
【手続補正６】
【補正対象書類名】特許請求の範囲
【補正対象項目名】請求項１２
【補正方法】変更
【補正の内容】
【請求項１２】
前記特別入賞時演出実行手段または前記終了演出実行手段は、前記特別入賞時演出または前記終了演出が最終段階に達した場合に、新たに制御情報を受信するまで該最終段階の演出状態に継続して制御するとともに、
前記演出実行手段は、
前記特別入賞時演出実行手段による特別入賞時演出または前記終了演出実行手段による終了演出が開始した後、新たに制御情報を受信する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出または前記終了演出が最終段階に達していたか否かを判定する最終段階判定手段を含み、
該最終段階判定手段により前記特別入賞時演出または前記終了演出が最終段階に達していたと判定された場合には、前記特別入賞時演出実行手段による特別入賞時演出または前記終了演出実行手段による終了演出を最終段階から実行し、
前記最終段階判定手段により前記特別入賞時演出または前記終了演出が最終段階に達していないと判定された場合には、前記特別入賞時演出実行手段による特別入賞時演出または前記終了演出実行手段による終了演出を最初から実行する、
ことを特徴とする請求項１〜１１のいずれかに記載のスロットマシン。
【手続補正７】
【補正対象書類名】明細書
【補正対象項目名】００１３
【補正方法】変更
【補正の内容】
【００１３】
上記課題を解決するために、本発明の請求項１に記載のスロットマシンは、
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、前記メイン制御手段が動作を行うためのデータの読み出し及び書き込みが行われることのない未使用領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用領域を１ゲーム毎に初期化し、
前記制御情報送信手段は、前記特別入賞が発生したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別入賞が発生したゲームにおいては該計時手段により計時された経過時間が所定時間に到達したときに前記賭数設定禁止手段による賭数の設定の禁止を解除し、
前記計時手段は、前記経過時間が前記所定時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別入賞が発生したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別入賞の発生を示す制御情報を受信したときに、前記所定時間以内の期間にわたり特別入賞が発生した旨を示す特別入賞時演出を実行する特別入賞時演出実行手段を含み、
該特別入賞時演出実行手段による特別入賞時演出が開始した後、該特別入賞時演出が終了する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出実行手段による前記特別入賞時演出を最初から実行するとともに、
該特別入賞時演出の実行中において新たに制御情報を受信した場合には、実行中の特別入賞時演出を終了して新たに受信した制御情報の種類に対応して定められた演出内容の演出を実行する、
ことを特徴としている。
この特徴によれば、特別入賞が発生したゲームにおいて、ゲームの終了が判定された時点で返却制御の禁止は解除され、ゲーム終了後、所定時間が経過するまで賭数の設定が禁止されている期間（特別入賞時演出が行われている期間）であっても、メインデータ記憶手段に記憶されている遊技用価値を返却させることが可能となるので、可能な限り遊技者の意志を反映して、遊技者所有のものとして記憶されている遊技用価値の返却を受けることができる。これにより、例えば、特別入賞が発生したゲームにおいて、特別入賞の発生に伴う特別遊技状態のゲームを始める前に、メインデータ記憶手段に記憶されている遊技用価値の一部を景品（例えば、清涼飲料水やたばこ等）に交換したいこともあり得るが、このような遊技者の意志を反映させて遊技用価値の返却を受けることが可能となる。
また、特別入賞時演出が開始した後、該特別入賞時演出が終了する前に当該スロットマシンへの電力供給が停止した後、当該スロットマシンへの電力供給が再開された場合に、特別入賞時演出を最初から実行するが、該特別入賞時演出の実行中において新たに制御情報を受信した場合には、実行中の特別入賞時演出を終了して新たに受信した制御情報の種類に対応して定められた演出内容の演出を実行するので、例えば、特別入賞時演出の実行中であっても、賭数の設定の禁止が解除された後、遊技者により賭数の設定がなされ、その旨を示す制御情報が送信されることで、実行中の特別入賞時演出はキャンセルされ、当該制御情報に応じた演出が実行されることとなるので、特別入賞時演出が遊技者にとって煩わしいものとなってしまうことを防止できるとともに、メイン制御手段側の制御状態が進んでいるにも関わらず、サブ制御手段側の制御状態が停滞して、双方の制御状態に食い違いが生じてしまうことを防止できる。
また、メインデータ記憶手段における未使用領域が１ゲーム毎に初期化されるので、メインデータ記憶手段の未使用領域を利用して不正プログラムを格納させても、当該不正プログラムが常駐してしまうことを防止できる。
また、電源投入時にメインデータ記憶手段に記憶されているデータに異常が生じた場合には、ゲームの進行が不能化されるとともに、設定値を新たに選択・設定しなければ、ゲームの進行が不能化された状態が解除されない。すなわち、メインデータ記憶手段に記憶されているデータに異常が生じても、スロットマシンにより自動的に設定された設定値ではなく、所定の設定操作に基づいて選択・設定された設定値（一般的に、設定操作は遊技店の従業員により行われるので、遊技店側が選択した設定値である）に基づいてゲームが行われることが担保されるので、ゲームの公平性を図ることができる。
また、事前決定手段において入賞の発生を許容するか否かを決定する際に、メインデータ記憶手段に記憶されている設定値が適正な値でなければ、デフォルトの設定値に基づく確率で入賞の発生を許容するか否かを決定するのではなく、この場合にもゲームの進行が不能化され、設定値を新たに選択・設定しなければ、ゲームの進行が不能化された状態が解除されない。すなわ事前決定手段において入賞の発生を許容するか否かの決定を適正に行うことができない場合にも、所定の設定操作に基づいて選択・設定された設定値に基づいてゲームが行われることが担保されるので、ゲームの公平性を図ることができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、賭数設定禁止手段は、例えば、賭数の設定に用いる遊技媒体が投入されても、その遊技媒体が返却されるようにしたり、メインデータ記憶手段に記憶されている遊技用価値を賭数の設定に用いる際に操作される賭数設定操作手段の操作を無効化することで賭数の設定を禁止すれば良い。
また、返却制御禁止手段は、例えば、遊技用価値返却操作手段の操作を無効化することで返却制御を禁止すれば良い。
また、前記賭数設定禁止解除手段は、特別入賞の種類が複数種類ある場合（例えば、特別入賞を構成する識別情報（図柄）の組合せ、特別入賞を構成する識別情報（図柄）の色、の一方または双方が異なるもの）において、これら複数種類の特別入賞のうち特定の種類の特別入賞が発生したゲームにおいてのみ、ゲームの終了後、前記計時手段による計時時間が所定時間に到達したときに前記賭数設定禁止手段による賭数の設定の禁止を解除し、該特定の種類以外の特別入賞が発生したゲームにおいては、前記ゲーム終了判定手段がゲームの終了を判定したときに前記賭数設定禁止手段による賭数の設定の禁止を解除することも可能である。また、特別遊技状態の種類が複数種類ある場合（例えば、特別遊技状態中に獲得が期待できる遊技用価値の数量等、特別遊技状態中の制御が異なるもの）において、これら複数種類の特別遊技状態のうち特定の種類の特別遊技状態へ移行する契機となる特別入賞が発生したゲームにおいてのみ、ゲームの終了後、前記計時手段による計時時間が所定時間に到達したときに前記賭数設定禁止手段による賭数の設定の禁止を解除し、該特定の種類以外の特別遊技状態へ移行する契機となる特別入賞が発生したゲームにおいては、ゲームの終了後、前記ゲーム終了判定手段がゲームの終了を判定したときに前記賭数設定禁止手段による賭数の設定の禁止を解除することも可能である。
また、前述のように特別入賞の種類が複数種類ある場合に、特別入賞発生時のゲームの終了後、前記賭数設定禁止解除手段により賭数の設定の禁止が解除されるまでに要する前記所定時間として、当該特別入賞の種類に対応して異なる時間を適用しても良い。また、前述のように特別遊技状態の種類が複数種類ある場合に、特別入賞発生時のゲームの終了後、前記賭数設定禁止解除手段により賭数の設定の禁止が解除されるまでに要する前記所定時間として、当該特別入賞を契機として移行する特別遊技状態の種類に対応して異なる時間を適用しても良い。更に、これらの場合には、特別入賞時演出の実行時間として、特別入賞の種類や特別入賞を契機として移行する特別遊技状態の種類に対応して異なる時間を適用しても良い。
また、前記計時手段は、少なくとも前記賭数設定禁止手段により前記ゲーム終了判定手段がゲームの終了を判定した後も賭数の設定が禁止されるゲームにおいてのみ、前記経過時間を計時するものであれば良い。
また、初期化手段は、メインデータ記憶手段における未使用領域を１ゲーム毎に初期化するものであれば良く、１ゲームのうちのいずれかのタイミング（例えば、ゲーム開始時や終了時、１ゲーム毎に必ず実行される処理の実行時等）で少なくとも１回は、メインデータ記憶手段における未使用領域を初期化するものであれば良い。
また、初期化手段による初期化とは、例えば、対象となる記憶領域の値を０に更新したり、予め定められた初期値に更新したりする処理である。
【手続補正８】
【補正対象書類名】明細書
【補正対象項目名】００１５
【補正方法】変更
【補正の内容】
【００１５】
本発明の請求項２に記載のスロットマシンは、
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、前記メイン制御手段が動作を行うためのデータの読み出し及び書き込みが行われることのない未使用領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用領域を１ゲーム毎に初期化し、
前記制御情報送信手段は、前記特別遊技状態における終了条件が成立したゲームにおいて、前記ゲーム終了判定手段がゲームの終了を判定したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別遊技状態における終了条件が成立したゲームにおいては該計時手段により計時された経過時間が予め定められた時間に到達したときに前記賭数設定禁止手段による賭数の設定の禁止を解除し、
前記計時手段は、前記経過時間が前記予め定められた時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別遊技状態における終了条件が成立したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別遊技状態における終了条件が成立したゲームの終了を示す制御情報を受信したときに、前記予め定められた時間以内の期間にわたり特別遊技状態が終了した旨を示す終了演出を実行する終了演出実行手段を含み、
該終了演出実行手段による終了演出が開始した後、該終了演出が終了する前に当該スロットマシンへの電力供給が停止した後、当該スロットマシンへの電力供給が再開され、前記サブ制御状態復帰手段により前記サブ制御手段の制御状態が復帰した場合に、前記終了演出実行手段による前記終了演出を最初から実行するとともに、
該終了演出の実行中において新たに制御情報を受信した場合には、実行中の終了演出を終了して新たに受信した制御情報の種類に対応して定められた演出内容の演出を実行する、
ことを特徴としている。
この特徴によれば、特別遊技状態における終了条件が成立したゲームにおいて、ゲームの終了が判定された時点で返却制御の禁止は解除され、ゲーム終了後、予め定められた時間が経過するまで賭数の設定が禁止されている期間（終了演出が行われている期間）であっても、メインデータ記憶手段に記憶されている数の遊技用価値を返却させることが可能となるので、可能な限り遊技者の意志を反映して、遊技者所有のものとして記憶されている遊技用価値の返却を受けることができる。これにより、特に、特別遊技状態の終了後、すぐに遊技を終了したい遊技者の意志を反映させて遊技用価値の返却を受けることが可能となる。
また、終了演出が開始した後、該終了演出が終了する前に当該スロットマシンへの電力供給が停止した後、当該スロットマシンへの電力供給が再開された場合に、終了演出を最初から実行するが、該終了演出の実行中において新たに制御情報を受信した場合には、実行中の終了演出を終了して新たに受信した制御情報の種類に対応して定められた演出内容の演出を実行するので、例えば、終了演出の実行中であっても、賭数の設定の禁止が解除された後、遊技者により賭数の設定がなされ、その旨を示す制御情報が送信されることで、実行中の終了演出はキャンセルされ、当該制御情報に応じた演出が実行されることとなるので、終了演出が遊技者にとって煩わしいものとなってしまうことを防止できるとともに、メイン制御手段側の制御状態が進んでいるにも関わらず、サブ制御手段側の制御状態が停滞して、双方の制御状態に食い違いが生じてしまうことを防止できる。
また、メインデータ記憶手段における未使用領域が１ゲーム毎に初期化されるので、メインデータ記憶手段の未使用領域を利用して不正プログラムを格納させても、当該不正プログラムが常駐してしまうことを防止できる。
また、電源投入時にメインデータ記憶手段に記憶されているデータに異常が生じた場合には、ゲームの進行が不能化されるとともに、設定値を新たに選択・設定しなければ、ゲームの進行が不能化された状態が解除されない。すなわち、メインデータ記憶手段に記憶されているデータに異常が生じても、スロットマシンにより自動的に設定された設定値ではなく、所定の設定操作に基づいて選択・設定された設定値（一般的に、設定操作は遊技店の従業員により行われるので、遊技店側が選択した設定値である）に基づいてゲームが行われることが担保されるので、ゲームの公平性を図ることができる。
また、事前決定手段において入賞の発生を許容するか否かを決定する際に、メインデータ記憶手段に記憶されている設定値が適正な値でなければ、デフォルトの設定値に基づく確率で入賞の発生を許容するか否かを決定するのではなく、この場合にもゲームの進行が不能化され、設定値を新たに選択・設定しなければ、ゲームの進行が不能化された状態が解除されない。すなわ事前決定手段において入賞の発生を許容するか否かの決定を適正に行うことができない場合にも、所定の設定操作に基づいて選択・設定された設定値に基づいてゲームが行われることが担保されるので、ゲームの公平性を図ることができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、賭数設定禁止手段は、例えば、賭数の設定に用いる遊技媒体が投入されても、その遊技媒体が返却されるようにしたり、メインデータ記憶手段に記憶されている遊技用価値を賭数の設定に用いる際に操作される賭数設定操作手段の操作を無効化することで賭数の設定を禁止すれば良い。
また、返却制御禁止手段は、例えば、遊技用価値返却操作手段の操作を無効化することで返却制御を禁止すれば良い。
また、前記賭数設定禁止解除手段は、特別入賞の種類が複数種類ある場合（例えば、特別入賞を構成する識別情報（図柄）の組合せ、特別入賞を構成する識別情報（図柄）の色、の一方または双方が異なるもの）において、これら複数種類の特別入賞のうち特定の種類の特別入賞が発生したことを契機として移行する特別遊技状態の終了条件が成立したゲームにおいてのみ、ゲームの終了後、前記計時手段による計時時間が予め定められた時間に到達したときに前記賭数設定禁止手段による賭数の設定の禁止を解除し、該特定の種類以外の特別入賞が発生したことを契機として移行する特別遊技状態の終了条件が成立したゲームにおいては、前記ゲーム終了判定手段がゲームの終了を判定したときに前記賭数設定禁止手段による賭数の設定の禁止を解除することも可能である。また、特別遊技状態の種類が複数種類ある場合（例えば、特別遊技状態中に獲得が期待できる遊技用価値の数量等、特別遊技状態中の制御が異なるもの）において、これら複数種類の特別遊技状態のうち特定の種類の特別遊技状態の終了条件が成立したゲームにおいてのみ、ゲームの終了後、前記計時手段による計時時間が予め定められた時間に到達したときに前記賭数設定禁止手段による賭数の設定の禁止を解除し、該特定の種類以外の特別遊技状態の終了条件が成立したゲームにおいては、ゲームの終了後、前記ゲーム終了判定手段がゲームの終了を判定したときに前記賭数設定禁止手段による賭数の設定の禁止を解除することも可能である。
また、前述のように特別入賞の種類が複数種類ある場合に、特別遊技状態の終了条件が成立したゲームの終了後、前記賭数設定禁止解除手段により賭数の設定の禁止が解除されるまでに要する前記予め定められた時間として、当該特別遊技状態へ移行する契機となった特別入賞の種類に対応して異なる時間を適用しても良い。また、前述のように特別遊技状態の種類が複数種類ある場合に、特別遊技状態の終了条件が成立したゲームの終了後、前記賭数設定禁止解除手段により賭数の設定の禁止が解除されるまでに要する前記予め定められた時間として、当該特別遊技状態の種類に対応して異なる時間を適用しても良い。更に、これらの場合には、終了演出の実行時間として、当該特別遊技状態へ移行する契機となった特別入賞の種類や当該特別遊技状態の種類に対応して異なる時間を適用しても良い。
また、前記計時手段は、少なくとも前記賭数設定禁止手段により前記ゲーム終了判定手段がゲームの終了を判定した後も賭数の設定が禁止されるゲームにおいてのみ、前記経過時間を計時するものであれば良い。
また、初期化手段は、メインデータ記憶手段における未使用領域を１ゲーム毎に初期化するものであれば良く、１ゲームのうちのいずれかのタイミング（例えば、ゲーム開始時や終了時、１ゲーム毎に必ず実行される処理の実行時等）で少なくとも１回は、メインデータ記憶手段における未使用領域を初期化するものであれば良い。
また、初期化手段による初期化とは、例えば、対象となる記憶領域の値を０に更新したり、予め定められた初期値に更新したりする処理である。
【手続補正９】
【補正対象書類名】明細書
【補正対象項目名】００１７
【補正方法】変更
【補正の内容】
【００１７】
本発明の請求項４に記載のスロットマシンは、
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、データを一時的に格納することが可能なスタック領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メイン制御手段が使用中のデータを前記スタック領域に退避するデータ退避手段と、
前記退避手段により前記スタック領域に退避したデータを前記メイン制御手段が使用するデータとして復帰させるデータ復帰手段と、
前記スタック領域のうち前記データ退避手段により退避したデータが記憶されていない未使用スタック領域を特定する未使用スタック領域特定手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用スタック領域特定手段により特定される未使用スタック領域を１ゲーム毎に初期化し、
前記制御情報送信手段は、前記特別入賞が発生したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別入賞が発生したゲームにおいては該計時手段により計時された経過時間が所定時間に到達したときに前記賭数設定禁止手段による賭数の設定の禁止を解除し、
前記計時手段は、前記経過時間が前記所定時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別入賞が発生したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別入賞の発生を示す制御情報を受信したときに、前記所定時間以内の期間にわたり特別入賞が発生した旨を示す特別入賞時演出を実行する特別入賞時演出実行手段を含み、
該特別入賞時演出実行手段による特別入賞時演出が開始した後、該特別入賞時演出が終了する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出実行手段による前記特別入賞時演出を最初から実行するとともに、
該特別入賞時演出の実行中において新たに制御情報を受信した場合には、実行中の特別入賞時演出を終了して新たに受信した制御情報の種類に対応して定められた演出内容の演出を実行する、
ことを特徴としている。
この特徴によれば、特別入賞が発生したゲームにおいて、ゲームの終了が判定された時点で返却制御の禁止は解除され、ゲーム終了後、所定時間が経過するまで賭数の設定が禁止されている期間（特別入賞時演出が行われている期間）であっても、メインデータ記憶手段に記憶されている遊技用価値を返却させることが可能となるので、可能な限り遊技者の意志を反映して、遊技者所有のものとして記憶されている遊技用価値の返却を受けることができる。これにより、例えば、特別入賞が発生したゲームにおいて、特別入賞の発生に伴う特別遊技状態のゲームを始める前に、メインデータ記憶手段に記憶されている遊技用価値の一部を景品（例えば、清涼飲料水やたばこ等）に交換したいこともあり得るが、このような遊技者の意志を反映させて遊技用価値の返却を受けることが可能となる。
また、特別入賞時演出が開始した後、該特別入賞時演出が終了する前に当該スロットマシンへの電力供給が停止した後、当該スロットマシンへの電力供給が再開された場合に、特別入賞時演出を最初から実行するが、該特別入賞時演出の実行中において新たに制御情報を受信した場合には、実行中の特別入賞時演出を終了して新たに受信した制御情報の種類に対応して定められた演出内容の演出を実行するので、例えば、特別入賞時演出の実行中であっても、賭数の設定の禁止が解除された後、遊技者により賭数の設定がなされ、その旨を示す制御情報が送信されることで、実行中の特別入賞時演出はキャンセルされ、当該制御情報に応じた演出が実行されることとなるので、特別入賞時演出が遊技者にとって煩わしいものとなってしまうことを防止できるとともに、メイン制御手段側の制御状態が進んでいるにも関わらず、サブ制御手段側の制御状態が停滞して、双方の制御状態に食い違いが生じてしまうことを防止できる。
また、メインデータ記憶手段のスタック領域における未使用スタック領域が１ゲーム毎に初期化されるので、未使用スタック領域を利用して不正プログラムを格納させても、当該不正プログラムが常駐してしまうことを防止できるとともに、例えば、未使用スタック領域に不正なデータ（不正プログラムが指定するアドレス等）を加え、データの復帰時にメイン制御手段を誤作動させることでレジスタ等を不正なものに書き換えてしまうことにより、本来のプログラムとは異なる動作を行わせてしまうような不正も防止できる。
また、電源投入時にメインデータ記憶手段に記憶されているデータに異常が生じた場合には、ゲームの進行が不能化されるとともに、設定値を新たに選択・設定しなければ、ゲームの進行が不能化された状態が解除されない。すなわち、メインデータ記憶手段に記憶されているデータに異常が生じても、スロットマシンにより自動的に設定された設定値ではなく、所定の設定操作に基づいて選択・設定された設定値（一般的に、設定操作は遊技店の従業員により行われるので、遊技店側が選択した設定値である）に基づいてゲームが行われることが担保されるので、ゲームの公平性を図ることができる。
また、事前決定手段において入賞の発生を許容するか否かを決定する際に、メインデータ記憶手段に記憶されている設定値が適正な値でなければ、デフォルトの設定値に基づく確率で入賞の発生を許容するか否かを決定するのではなく、この場合にもゲームの進行が不能化され、設定値を新たに選択・設定しなければ、ゲームの進行が不能化された状態が解除されない。すなわ事前決定手段において入賞の発生を許容するか否かの決定を適正に行うことができない場合にも、所定の設定操作に基づいて選択・設定された設定値に基づいてゲームが行われることが担保されるので、ゲームの公平性を図ることができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、賭数設定禁止手段は、例えば、賭数の設定に用いる遊技媒体が投入されても、その遊技媒体が返却されるようにしたり、メインデータ記憶手段に記憶されている遊技用価値を賭数の設定に用いる際に操作される賭数設定操作手段の操作を無効化することで賭数の設定を禁止すれば良い。
また、返却制御禁止手段は、例えば、遊技用価値返却操作手段の操作を無効化することで返却制御を禁止すれば良い。
また、前記賭数設定禁止解除手段は、特別入賞の種類が複数種類ある場合（例えば、特別入賞を構成する識別情報（図柄）の組合せ、特別入賞を構成する識別情報（図柄）の色、の一方または双方が異なるもの）において、これら複数種類の特別入賞のうち特定の種類の特別入賞が発生したゲームにおいてのみ、ゲームの終了後、前記計時手段による計時時間が所定時間に到達したときに前記賭数設定禁止手段による賭数の設定の禁止を解除し、該特定の種類以外の特別入賞が発生したゲームにおいては、前記ゲーム終了判定手段がゲームの終了を判定したときに前記賭数設定禁止手段による賭数の設定の禁止を解除することも可能である。また、特別遊技状態の種類が複数種類ある場合（例えば、特別遊技状態中に獲得が期待できる遊技用価値の数量等、特別遊技状態中の制御が異なるもの）において、これら複数種類の特別遊技状態のうち特定の種類の特別遊技状態へ移行する契機となる特別入賞が発生したゲームにおいてのみ、ゲームの終了後、前記計時手段による計時時間が所定時間に到達したときに前記賭数設定禁止手段による賭数の設定の禁止を解除し、該特定の種類以外の特別遊技状態へ移行する契機となる特別入賞が発生したゲームにおいては、ゲームの終了後、前記ゲーム終了判定手段がゲームの終了を判定したときに前記賭数設定禁止手段による賭数の設定の禁止を解除することも可能である。
また、前述のように特別入賞の種類が複数種類ある場合に、特別入賞発生時のゲームの終了後、前記賭数設定禁止解除手段により賭数の設定の禁止が解除されるまでに要する前記所定時間として、当該特別入賞の種類に対応して異なる時間を適用しても良い。また、前述のように特別遊技状態の種類が複数種類ある場合に、特別入賞発生時のゲームの終了後、前記賭数設定禁止解除手段により賭数の設定の禁止が解除されるまでに要する前記所定時間として、当該特別入賞を契機として移行する特別遊技状態の種類に対応して異なる時間を適用しても良い。更に、これらの場合には、特別入賞時演出の実行時間として、特別入賞の種類や特別入賞を契機として移行する特別遊技状態の種類に対応して異なる時間を適用しても良い。
また、前記計時手段は、少なくとも前記賭数設定禁止手段により前記ゲーム終了判定手段がゲームの終了を判定した後も賭数の設定が禁止されるゲームにおいてのみ、前記経過時間を計時するものであれば良い。
また、初期化手段は、メインデータ記憶手段におけるスタック領域のうちの未使用スタック領域を１ゲーム毎に初期化するものであれば良く、１ゲームのうちのいずれかのタイミング（例えば、ゲーム開始時や終了時、１ゲーム毎に必ず実行される処理の実行時等）で少なくとも１回は、未使用スタック領域を初期化するものであれば良い。
また、初期化手段による初期化とは、例えば、対象となる記憶領域の値を０に更新したり、予め定められた初期値に更新したりする処理である。
【手続補正１０】
【補正対象書類名】明細書
【補正対象項目名】００１９
【補正方法】変更
【補正の内容】
【００１９】
本発明の請求項５に記載のスロットマシンは、
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
遊技の制御を行うメイン制御手段と、
演出の制御を行うサブ制御手段と、
を備え、
前記メイン制御手段は、
遊技の進行に応じた複数種類の制御情報を前記サブ制御手段に送信する制御情報送信手段と、
所定の設定操作手段の操作に基づいて、入賞の発生を許容する旨を決定する割合が異なる複数種類の設定値のうちから、いずれかの設定値を選択し、該選択した設定値を設定する設定値設定手段と、
データを読み出し及び書き込み可能に記憶する記憶領域を有し、電力供給が停止しても該記憶領域に記憶されているデータを保持することが可能な記憶手段であり、前記記憶領域として前記設定値設定手段により設定された設定値を示す設定値データ及び遊技者所有の遊技用価値を示すデータを含む前記メイン制御手段が動作を行うためのデータが記憶されるワーク領域と、データを一時的に格納することが可能なスタック領域と、が少なくとも割り当てられたメインデータ記憶手段と、
前記スロットマシンへの電源供給が遮断しても前記メインデータ記憶手段に記憶されている前記メイン制御手段が動作を行うためのデータを保持する保持手段と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段と、
前記記憶データ判定手段により前記保持手段により保持されている前記メイン制御手段が動作を行うためのデータが電源遮断前のデータと一致しないと判定されたときに、ゲームの進行を不能化する第１の不能化手段と、
ゲームの開始操作がなされる毎に、前記メインデータ記憶手段から前記設定値データを読み出し、該読み出した設定値データが示す設定値が、前記設定値設定手段により設定可能な設定値の範囲内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段と、
前記設定値判定手段により前記読み出した設定値データが適正ではないと判定されたときに、ゲームの進行を不能化する第２の不能化手段と、
前記第１の不能化手段により前記ゲームの進行が不能化された状態においても前記第２の不能化手段により前記ゲームの進行が不能化された状態においても、前記設定操作手段の操作に基づいて前記設定値設定手段により前記設定値が新たに設定されたことを条件に、前記ゲームの進行が不能化された状態を解除し、ゲームの進行を可能とする不能化解除手段と、
前記メイン制御手段が使用中のデータを前記スタック領域に退避するデータ退避手段と、
前記退避手段により前記スタック領域に退避したデータを前記メイン制御手段が使用するデータとして復帰させるデータ復帰手段と、
前記スタック領域のうち前記データ退避手段により退避したデータが記憶されていない未使用スタック領域を特定する未使用スタック領域特定手段と、
前記メインデータ記憶手段における記憶領域の少なくとも一部を初期化する初期化手段と、
少なくとも前記メインデータ記憶手段に記憶されている遊技用価値を用いて賭数を設定する賭数設定手段と、
所定の遊技用価値返却操作手段の操作に応じて前記メインデータ記憶手段に記憶されている遊技用価値を返却させる返却制御を行う返却制御手段と、
前記遊技用価値の付与を伴う小役入賞が発生したときに、該小役入賞の種類に応じて定められた数の遊技用価値を付与する価値付与処理を行う価値付与処理手段と、
遊技状態の移行を伴う特別入賞が発生したときに、終了条件が成立するまでの期間にわたり遊技者にとって有利な特別遊技状態に制御する特別遊技状態制御手段と、
前記ゲームが開始したときに、前記賭数設定手段による賭数の設定を禁止する賭数設定禁止手段と、
前記ゲームが開始したときに、前記返却制御手段による返却制御を禁止する返却制御禁止手段と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段と、
前記ゲーム終了判定手段がゲームの終了を判定したことを条件に、前記賭数設定禁止手段による賭数の設定の禁止を解除する賭数設定禁止解除手段と、
前記ゲーム終了判定手段がゲームの終了を判定したことを条件に、前記返却制御禁止手段による返却制御の禁止を解除する返却制御禁止解除手段と、
を含み、
前記初期化手段は、前記メインデータ記憶手段の記憶領域における前記未使用スタック領域特定手段により特定される未使用スタック領域を１ゲーム毎に初期化し、
前記制御情報送信手段は、前記特別遊技状態における終了条件が成立したゲームにおいて、前記ゲーム終了判定手段がゲームの終了を判定したときにその旨を示す制御情報を前記サブ制御手段に対して送信し、
前記賭数設定禁止解除手段は、前記ゲーム終了判定手段がゲームの終了を判定してからの経過時間を計時する計時手段を含み、前記特別遊技状態における終了条件が成立したゲームにおいては該計時手段により計時された経過時間が予め定められた時間に到達したときに前記賭数設定禁止手段による賭数の設定の禁止を解除し、
前記計時手段は、前記経過時間が前記予め定められた時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別遊技状態における終了条件が成立したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段と、
実行中の演出内容を示すデータを含む前記サブ制御手段が動作を行うためのデータを読み出し及び書き込み可能に記憶する記憶領域を有し、電力供給が停止しても該記憶領域に記憶されているデータを保持することが可能なサブデータ記憶手段と、
前記スロットマシンへの電源投入時に、前記サブデータ記憶手段に記憶されているデータに基づいて該サブ制御手段の制御状態を復帰させるサブ制御状態復帰手段と、
を含み、
前記演出実行手段は、
前記特別遊技状態における終了条件が成立したゲームの終了を示す制御情報を受信したときに、前記予め定められた時間以内の期間にわたり特別遊技状態が終了した旨を示す終了演出を実行する終了演出実行手段を含み、
該終了演出実行手段による終了演出が開始した後、該終了演出が終了する前に当該スロットマシンへの電力供給が停止した後、当該スロットマシンへの電力供給が再開され、前記サブ制御状態復帰手段により前記サブ制御手段の制御状態が復帰した場合に、前記終了演出実行手段による前記終了演出を最初から実行するとともに、
該終了演出の実行中において新たに制御情報を受信した場合には、実行中の終了演出を終了して新たに受信した制御情報の種類に対応して定められた演出内容の演出を実行する、
ことを特徴としている。
この特徴によれば、特別遊技状態における終了条件が成立したゲームにおいて、ゲームの終了が判定された時点で返却制御の禁止は解除され、ゲーム終了後、予め定められた時間が経過するまで賭数の設定が禁止されている期間（終了演出が行われている期間）であっても、メインデータ記憶手段に記憶されている数の遊技用価値を返却させることが可能となるので、可能な限り遊技者の意志を反映して、遊技者所有のものとして記憶されている遊技用価値の返却を受けることができる。これにより、特に、特別遊技状態の終了後、すぐに遊技を終了したい遊技者の意志を反映させて遊技用価値の返却を受けることが可能となる。
また、終了演出が開始した後、該終了演出が終了する前に当該スロットマシンへの電力供給が停止した後、当該スロットマシンへの電力供給が再開された場合に、終了演出を最初から実行するが、該終了演出の実行中において新たに制御情報を受信した場合には、実行中の終了演出を終了して新たに受信した制御情報の種類に対応して定められた演出内容の演出を実行するので、例えば、終了演出の実行中であっても、賭数の設定の禁止が解除された後、遊技者により賭数の設定がなされ、その旨を示す制御情報が送信されることで、実行中の終了演出はキャンセルされ、当該制御情報に応じた演出が実行されることとなるので、終了演出が遊技者にとって煩わしいものとなってしまうことを防止できるとともに、メイン制御手段側の制御状態が進んでいるにも関わらず、サブ制御手段側の制御状態が停滞して、双方の制御状態に食い違いが生じてしまうことを防止できる。
また、メインデータ記憶手段のスタック領域における未使用スタック領域が１ゲーム毎に初期化されるので、未使用スタック領域を利用して不正プログラムを格納させても、当該不正プログラムが常駐してしまうことを防止できるとともに、例えば、未使用スタック領域に不正なデータ（不正プログラムが指定するアドレス等）を加え、データの復帰時にメイン制御手段を誤作動させることでレジスタ等を不正なものに書き換えてしまうことにより、本来のプログラムとは異なる動作を行わせてしまうような不正も防止できる。
また、電源投入時にメインデータ記憶手段に記憶されているデータに異常が生じた場合には、ゲームの進行が不能化されるとともに、設定値を新たに選択・設定しなければ、ゲームの進行が不能化された状態が解除されない。すなわち、メインデータ記憶手段に記憶されているデータに異常が生じても、スロットマシンにより自動的に設定された設定値ではなく、所定の設定操作に基づいて選択・設定された設定値（一般的に、設定操作は遊技店の従業員により行われるので、遊技店側が選択した設定値である）に基づいてゲームが行われることが担保されるので、ゲームの公平性を図ることができる。
また、事前決定手段において入賞の発生を許容するか否かを決定する際に、メインデータ記憶手段に記憶されている設定値が適正な値でなければ、デフォルトの設定値に基づく確率で入賞の発生を許容するか否かを決定するのではなく、この場合にもゲームの進行が不能化され、設定値を新たに選択・設定しなければ、ゲームの進行が不能化された状態が解除されない。すなわ事前決定手段において入賞の発生を許容するか否かの決定を適正に行うことができない場合にも、所定の設定操作に基づいて選択・設定された設定値に基づいてゲームが行われることが担保されるので、ゲームの公平性を図ることができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、賭数設定禁止手段は、例えば、賭数の設定に用いる遊技媒体が投入されても、その遊技媒体が返却されるようにしたり、メインデータ記憶手段に記憶されている遊技用価値を賭数の設定に用いる際に操作される賭数設定操作手段の操作を無効化することで賭数の設定を禁止すれば良い。
また、返却制御禁止手段は、例えば、遊技用価値返却操作手段の操作を無効化することで返却制御を禁止すれば良い。
また、前記賭数設定禁止解除手段は、特別入賞の種類が複数種類ある場合（例えば、特別入賞を構成する識別情報（図柄）の組合せ、特別入賞を構成する識別情報（図柄）の色、の一方または双方が異なるもの）において、これら複数種類の特別入賞のうち特定の種類の特別入賞が発生したことを契機として移行する特別遊技状態の終了条件が成立したゲームにおいてのみ、ゲームの終了後、前記計時手段による計時時間が予め定められた時間に到達したときに前記賭数設定禁止手段による賭数の設定の禁止を解除し、該特定の種類以外の特別入賞が発生したことを契機として移行する特別遊技状態の終了条件が成立したゲームにおいては、前記ゲーム終了判定手段がゲームの終了を判定したときに前記賭数設定禁止手段による賭数の設定の禁止を解除することも可能である。また、特別遊技状態の種類が複数種類ある場合（例えば、特別遊技状態中に獲得が期待できる遊技用価値の数量等、特別遊技状態中の制御が異なるもの）において、これら複数種類の特別遊技状態のうち特定の種類の特別遊技状態の終了条件が成立したゲームにおいてのみ、ゲームの終了後、前記計時手段による計時時間が予め定められた時間に到達したときに前記賭数設定禁止手段による賭数の設定の禁止を解除し、該特定の種類以外の特別遊技状態の終了条件が成立したゲームにおいては、ゲームの終了後、前記ゲーム終了判定手段がゲームの終了を判定したときに前記賭数設定禁止手段による賭数の設定の禁止を解除することも可能である。
また、前述のように特別入賞の種類が複数種類ある場合に、特別遊技状態の終了条件が成立したゲームの終了後、前記賭数設定禁止解除手段により賭数の設定の禁止が解除されるまでに要する前記予め定められた時間として、当該特別遊技状態へ移行する契機となった特別入賞の種類に対応して異なる時間を適用しても良い。また、前述のように特別遊技状態の種類が複数種類ある場合に、特別遊技状態の終了条件が成立したゲームの終了後、前記賭数設定禁止解除手段により賭数の設定の禁止が解除されるまでに要する前記予め定められた時間として、当該特別遊技状態の種類に対応して異なる時間を適用しても良い。更に、これらの場合には、終了演出の実行時間として、当該特別遊技状態へ移行する契機となった特別入賞の種類や当該特別遊技状態の種類に対応して異なる時間を適用しても良い。
また、前記計時手段は、少なくとも前記賭数設定禁止手段により前記ゲーム終了判定手段がゲームの終了を判定した後も賭数の設定が禁止されるゲームにおいてのみ、前記経過時間を計時するものであれば良い。
また、初期化手段は、メインデータ記憶手段におけるスタック領域のうちの未使用スタック領域を１ゲーム毎に初期化するものであれば良く、１ゲームのうちのいずれかのタイミング（例えば、ゲーム開始時や終了時、１ゲーム毎に必ず実行される処理の実行時等）で少なくとも１回は、未使用スタック領域を初期化するものであれば良い。
また、初期化手段による初期化とは、例えば、対象となる記憶領域の値を０に更新したり、予め定められた初期値に更新したりする処理である。
【手続補正１１】
【補正対象書類名】明細書
【補正対象項目名】００２３
【補正方法】変更
【補正の内容】
【００２３】
本発明の請求項９に記載のスロットマシンは、請求項１〜８のいずれかに記載のスロットマシンであって、
前記スロットマシンで用いられる所定の電力の状態を監視し、電力供給が断たれたことに関わる電断条件が成立しているときに電断信号を出力する電断検出手段を備え、
前記メイン制御手段は、
前記メインデータ記憶手段における前記未使用領域及び／または前記未使用スタック領域を含む全ての記憶領域のデータを所定の演算方法にて計算するデータ演算手段と、
前記電断検出手段から出力された前記電断信号の入力を契機に、前記データ演算手段による計算結果を特定の値とするための調整用データを算出し、該算出した調整用データを前記メインデータ記憶手段に格納する電断処理を実行する電断処理実行手段と、
を含み、
前記記憶データ判定手段は、前記スロットマシンへの電源投入時に、前記データ演算手段による計算結果が前記特定の値か否かを判定し、該データ演算手段による計算結果が前記特定の値であると判定したことを条件に、前記保持手段により保持されている前記メイン制御手段が動作を行うためのデータが電源遮断前のデータと一致すると判定する、
ことを特徴としている。
この特徴によれば、スロットマシンへの電源投入時において、メインデータ記憶手段における未使用領域及び／または未使用スタック領域を含む全ての記憶領域に格納されているデータを所定の演算方法にて計算した結果が特定の値か否かを判定している。すなわちメインデータ記憶手段における未使用領域及び／または未使用スタック領域を含む全ての記憶領域に格納されているデータに基づいて計算された内容に基づいて、メインデータ記憶手段のデータが正常か否かを判定しているので、当該判定を正確にかつ簡便に行うことができる。また、メインデータ記憶手段の未使用領域及び／または未使用スタック領域を利用して不正プログラムが格納された場合にも、当該不正プログラムが格納されたままメイン制御手段の制御が復帰してしまうことを防止できる。
【手続補正１２】
【補正対象書類名】明細書
【補正対象項目名】００２８
【補正方法】変更
【補正の内容】
【００２８】
本発明の請求項１２に記載のスロットマシンは、請求項１〜１１のいずれかに記載のスロットマシンであって、
前記特別入賞時演出実行手段または前記終了演出実行手段は、前記特別入賞時演出または前記終了演出が最終段階に達した場合に、新たに制御情報を受信するまで該最終段階の演出状態に継続して制御するとともに、
前記演出実行手段は、
前記特別入賞時演出実行手段による特別入賞時演出または前記終了演出実行手段による終了演出が開始した後、新たに制御情報を受信する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出または前記終了演出が最終段階に達していたか否かを判定する最終段階判定手段を含み、
該最終段階判定手段により前記特別入賞時演出または前記終了演出が最終段階に達していたと判定された場合には、前記特別入賞時演出実行手段による特別入賞時演出または前記終了演出実行手段による終了演出を最終段階から実行し、
前記最終段階判定手段により前記特別入賞時演出または前記終了演出が最終段階に達していないと判定された場合には、前記特別入賞時演出実行手段による特別入賞時演出または前記終了演出実行手段による終了演出を最初から実行する、
ことを特徴としている。
この特徴によれば、特別入賞時演出や終了演出が最終段階に到達している状態で当該スロットマシンへの電力供給が停止した後、当該スロットマシンへの電力供給が再開された場合には、実行していた特別入賞時演出や終了演出が最初から実行されることがないので、特別入賞時演出や終了演出が遊技者にとって煩わしいものとなってしまうことをより効果的に防止できる。
尚、最終段階判定手段は、例えば、前記特別入賞時演出または前記終了演出が開始してからの経過時間が、最終段階に到達するまでに要する時間に到達しているか否かを判定し、最終段階に到達するまでに要する時間に到達している場合に、最終段階に到達したと判定するようにしたり、前記特別入賞時演出または前記終了演出が最終段階に到達した際に設定される最終段階フラグが設定されているか否かを判定し、最終段階フラグが設定されている場合に、最終段階に到達したと判定すれば良い。
【手続補正１３】
【補正対象書類名】明細書
【補正対象項目名】０５５８
【補正方法】変更
【補正の内容】
【０５５８】
本発明の請求項１に記載のスロットマシンは、
遊技用価値（メダル）を用いて１ゲームに対して所定数（１または３）の賭数を設定することによりゲームが開始可能となるとともに、各々が識別可能な複数種類の識別情報を変動表示可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン１であって、
遊技の制御を行うメイン制御手段（メイン制御部４１）と、
演出の制御を行うサブ制御手段（サブ制御部９１）と、
を備え、
前記メイン制御手段は、
遊技の進行に応じた複数種類の制御情報（コマンド）を前記サブ制御手段に送信する制御情報送信手段（ＣＰＵ４１ａによるコマンドの送信制御）と、
所定の設定操作手段（設定キースイッチ３７）の操作に基づいて、入賞の発生を許容する旨を決定する割合が異なる複数種類の設定値（設定値１〜６）のうちから、いずれかの設定値を選択し、該選択した設定値を設定する設定値設定手段（設定変更処理）と、
データを読み出し及び書き込み可能に記憶する記憶領域を有し、電力供給が停止しても該記憶領域に記憶されているデータを保持することが可能な記憶手段であり、前記記憶領域として前記設定値設定手段（設定変更処理）により設定された設定値を示す設定値データ（設定値ワークに格納されている設定値）及び遊技者所有の遊技用価値（クレジット）を示すデータを含む前記メイン制御手段が動作を行うためのデータが記憶されるワーク領域（重要ワーク、一般ワーク、特別ワーク、設定値ワーク、非保存ワーク）と、前記メイン制御手段が動作を行うためのデータの読み出し及び書き込みが行われることのない未使用領域と、が少なくとも割り当てられたメインデータ記憶手段（ＲＡＭ４１ｃ）と、
前記スロットマシンへの電源供給が遮断しても前記データ記憶手段（ＲＡＭ４１ｃ）に記憶されている前記遊技の制御を行うためのデータを保持する保持手段（バックアップ電源）と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段（起動処理におけるパリティチェック）と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段（レジスタの復帰）と、
前記記憶データ判定手段により前記保持手段により保持されている前記メイン制御手段が動作を行うためのデータが電源遮断前のデータと一致しないと判定されたときに、ゲームの進行を不能化する第１の不能化手段（電源投入時のＲＡＭ異常エラー処理）と、
ゲームの開始操作がなされる毎に、前記メインデータ記憶手段（ＲＡＭ４１ｃ）から前記設定値データ（設定値ワークに格納されている設定値）を読み出し、該読み出した設定値データが示す設定値が、前記設定値設定手段により設定可能な設定値の範囲（１〜６の範囲）内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段（内部抽選）と、
前記設定値判定手段により前記読み出した設定値データが適正ではないと判定されたときに、ゲームの進行を不能化する第２の不能化手段（設定値異常によるＲＡＭ異常エラー処理）と、
前記第１の不能化手段により前記ゲームの進行が不能化された状態（電源投入時のＲＡＭ異常エラー処理）においても前記第２の不能化手段により前記ゲームの進行が不能化された状態（設定値異常によるＲＡＭ異常エラー処理）においても、前記設定操作手段（設定キースイッチ３７）の操作に基づいて前記設定値設定手段により前記設定値が新たに設定されたこと（設定変更処理により新たに設定値が選択・設定されたこと）を条件に、前記ゲームの進行が不能化された状態を解除し、ゲームの進行を可能とする不能化解除手段と、
前記メインデータ記憶手段における記憶領域の少なくとも一部を初期化する初期化手段（ＣＰＵ４１ａによるＲＡＭ４１ｃの初期化）と、
少なくとも前記メインデータ記憶手段に記憶されている遊技用価値を用いて賭数を設定する賭数設定手段（ＣＰＵ４１ａによるＢＥＴ処理）と、
所定の遊技用価値返却操作手段（精算スイッチ１０）の操作に応じて前記メインデータ記憶手段に記憶されている遊技用価値を返却させる返却制御を行う返却制御手段（ＣＰＵ４１ａによる精算処理）と、
前記遊技用価値の付与を伴う小役入賞（小役）が発生したときに、該小役入賞の種類に応じて定められた数の遊技用価値を付与する価値付与処理を行う価値付与処理手段（ＣＰＵ４１ａによる払出処理）と、
遊技状態の移行を伴う特別入賞（ビッグボーナス入賞）が発生したときに、終了条件が成立するまでの期間にわたり遊技者にとって有利な特別遊技状態（ビッグボーナス）に制御する特別遊技状態制御手段（ＣＰＵ４１ａによる遊技状態の移行制御）と、
前記ゲームが開始したときに、前記賭数設定手段による賭数の設定を禁止する賭数設定禁止手段（ＣＰＵ４１ａによる賭数設定の禁止制御）と、
前記ゲームが開始したときに、前記返却制御手段による返却制御を禁止する返却制御禁止手段（ＣＰＵ４１ａによるクレジットの精算の禁止制御）と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段（ＣＰＵ４１ａによるゲームの終了判定制御、具体的には、ゲーム終了時処理の終了によりゲームの終了が判定される）と、
前記ゲーム終了判定手段がゲームの終了を判定したことを条件に、前記賭数設定禁止手段による賭数の設定の禁止を解除する賭数設定禁止解除手段（ＣＰＵ４１ａによる賭数設定の禁止制御の解除）と、
前記ゲーム終了判定手段がゲームの終了を判定したことを条件に、前記返却制御禁止手段による返却制御の禁止を解除する返却制御禁止解除手段（ＣＰＵ４１ａによるクレジットの精算の禁止制御の解除）と、
を含み、
前記初期化手段は、前記メインデータ記憶手段の記憶領域における前記未使用領域を１ゲーム毎（１ゲーム終了毎）に初期化し、
前記制御情報送信手段は、前記特別入賞が発生したときにその旨を示す制御情報（ＢＢ入賞の発生を示す入賞判定コマンド）を前記サブ制御手段に対して送信し、
前記賭数設定禁止解除手段は、前記ゲーム終了判定手段がゲームの終了を判定してからの経過時間を計時する計時手段（ＣＰＵ４１ａによる演出待ち時間の計時）を含み、前記特別入賞が発生したゲームにおいては該計時手段により計時された経過時間が所定時間（ＢＢ入賞時演出の演出待ち時間）に到達したときに前記賭数設定禁止手段による賭数の設定の禁止を解除し、
前記計時手段は、前記経過時間が前記所定時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別入賞が発生したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段（ＣＰＵ９１ａによる制御パターン設定処理、演出制御処理）と、
実行中の演出内容を示すデータ（制御パターン）を含む前記サブ制御手段が動作を行うためのデータを読み出し及び書き込み可能に記憶する記憶領域を有し、電力供給が停止しても該記憶領域に記憶されているデータを保持することが可能なサブデータ記憶手段（ＣＰＵ９１ｃ）と、
前記スロットマシンへの電源投入時に、前記サブデータ記憶手段に記憶されているデータに基づいて該サブ制御手段の制御状態を復帰させるサブ制御状態手段（電断時の制御パターンの復帰）と、
を含み、
前記演出実行手段は、
前記特別入賞の発生を示す制御情報を受信したときに、前記所定時間以内の期間（ＢＢ入賞時演出の演出実行時間）にわたり特別入賞が発生した旨を示す特別入賞時演出（ＢＢ入賞時演出の経過段階）を実行する特別入賞時演出実行手段を含み、
該特別入賞時演出実行手段による特別入賞時演出が開始した後、該特別入賞時演出が終了する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出実行手段による前記特別入賞時演出を最初から実行するとともに、
該特別入賞時演出の実行中において新たに制御情報（例えば、ＢＥＴコマンド）を受信した場合には、実行中の特別入賞時演出を終了して新たに受信した制御情報の種類に対応して定められた演出内容の演出を実行する、
ことを特徴としている。
【手続補正１４】
【補正対象書類名】明細書
【補正対象項目名】０５６０
【補正方法】変更
【補正の内容】
【０５６０】
本発明の請求項２に記載のスロットマシンは、
遊技用価値（メダル）を用いて１ゲームに対して所定数（１または３）の賭数を設定することによりゲームが開始可能となるとともに、各々が識別可能な複数種類の識別情報を変動表示可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン１であって、
遊技の制御を行うメイン制御手段（メイン制御部４１）と、
演出の制御を行うサブ制御手段（サブ制御部９１）と、
を備え、
前記メイン制御手段は、
遊技の進行に応じた複数種類の制御情報（コマンド）を前記サブ制御手段に送信する制御情報送信手段（ＣＰＵ４１ａによるコマンドの送信制御）と、
所定の設定操作手段（設定キースイッチ３７）の操作に基づいて、入賞の発生を許容する旨を決定する割合が異なる複数種類の設定値（設定値１〜６）のうちから、いずれかの設定値を選択し、該選択した設定値を設定する設定値設定手段（設定変更処理）と、
データを読み出し及び書き込み可能に記憶する記憶領域を有し、電力供給が停止しても該記憶領域に記憶されているデータを保持することが可能な記憶手段であり、前記記憶領域として前記設定値設定手段（設定変更処理）により設定された設定値を示す設定値データ（設定値ワークに格納されている設定値）及び遊技者所有の遊技用価値（クレジット）を示すデータを含む前記メイン制御手段が動作を行うためのデータが記憶されるワーク領域（重要ワーク、一般ワーク、特別ワーク、設定値ワーク、非保存ワーク）と、前記メイン制御手段が動作を行うためのデータの読み出し及び書き込みが行われることのない未使用領域と、が少なくとも割り当てられたメインデータ記憶手段（ＲＡＭ４１ｃ）と、
前記スロットマシンへの電源供給が遮断しても前記データ記憶手段（ＲＡＭ４１ｃ）に記憶されている前記遊技の制御を行うためのデータを保持する保持手段（バックアップ電源）と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段（起動処理におけるパリティチェック）と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段（レジスタの復帰）と、
前記記憶データ判定手段により前記保持手段により保持されている前記メイン制御手段が動作を行うためのデータが電源遮断前のデータと一致しないと判定されたときに、ゲームの進行を不能化する第１の不能化手段（電源投入時のＲＡＭ異常エラー処理）と、
ゲームの開始操作がなされる毎に、前記メインデータ記憶手段（ＲＡＭ４１ｃ）から前記設定値データ（設定値ワークに格納されている設定値）を読み出し、該読み出した設定値データが示す設定値が、前記設定値設定手段により設定可能な設定値の範囲（１〜６の範囲）内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段（内部抽選）と、
前記設定値判定手段により前記読み出した設定値データが適正ではないと判定されたときに、ゲームの進行を不能化する第２の不能化手段（設定値異常によるＲＡＭ異常エラー処理）と、
前記第１の不能化手段により前記ゲームの進行が不能化された状態（電源投入時のＲＡＭ異常エラー処理）においても前記第２の不能化手段により前記ゲームの進行が不能化された状態（設定値異常によるＲＡＭ異常エラー処理）においても、前記設定操作手段（設定キースイッチ３７）の操作に基づいて前記設定値設定手段により前記設定値が新たに設定されたこと（設定変更処理により新たに設定値が選択・設定されたこと）を条件に、前記ゲームの進行が不能化された状態を解除し、ゲームの進行を可能とする不能化解除手段と、
前記メインデータ記憶手段における記憶領域の少なくとも一部を初期化する初期化手段（ＣＰＵ４１ａによるＲＡＭ４１ｃの初期化）と、
少なくとも前記メインデータ記憶手段に記憶されている遊技用価値を用いて賭数を設定する賭数設定手段（ＣＰＵ４１ａによるＢＥＴ処理）と、
所定の遊技用価値返却操作手段（精算スイッチ１０）の操作に応じて前記メインデータ記憶手段に記憶されている遊技用価値を返却させる返却制御を行う返却制御手段（ＣＰＵ４１ａによる精算処理）と、
前記遊技用価値の付与を伴う小役入賞（小役）が発生したときに、該小役入賞の種類に応じて定められた数の遊技用価値を付与する価値付与処理を行う価値付与処理手段（ＣＰＵ４１ａによる払出処理）と、
遊技状態の移行を伴う特別入賞（ビッグボーナス入賞）が発生したときに、終了条件が成立するまでの期間にわたり遊技者にとって有利な特別遊技状態（ビッグボーナス）に制御する特別遊技状態制御手段（ＣＰＵ４１ａによる遊技状態の移行制御）と、
前記ゲームが開始したときに、前記賭数設定手段による賭数の設定を禁止する賭数設定禁止手段（ＣＰＵ４１ａによる賭数設定の禁止制御）と、
前記ゲームが開始したときに、前記返却制御手段による返却制御を禁止する返却制御禁止手段（ＣＰＵ４１ａによるクレジットの精算の禁止制御）と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段（ＣＰＵ４１ａによるゲームの終了判定制御、具体的には、ゲーム終了時処理の終了によりゲームの終了が判定される）と、
前記ゲーム終了判定手段がゲームの終了を判定したことを条件に、前記賭数設定禁止手段による賭数の設定の禁止を解除する賭数設定禁止解除手段（ＣＰＵ４１ａによる賭数設定の禁止制御の解除）と、
前記ゲーム終了判定手段がゲームの終了を判定したことを条件に、前記返却制御禁止手段による返却制御の禁止を解除する返却制御禁止解除手段（ＣＰＵ４１ａによるクレジットの精算の禁止制御の解除）と、
を含み、
前記初期化手段は、前記メインデータ記憶手段の記憶領域における前記未使用領域を１ゲーム毎（１ゲーム終了毎）に初期化し、
前記制御情報送信手段は、前記特別遊技状態における終了条件が成立したゲームにおいて、前記ゲーム終了判定手段がゲームの終了を判定したときにその旨を示す制御情報（ビッグボーナスの終了条件が成立したゲームの終了を示す遊技状態コマンド）を前記サブ制御手段に対して送信し、
前記賭数設定禁止解除手段は、前記ゲーム終了判定手段がゲームの終了を判定してからの経過時間を計時する計時手段（ＣＰＵ４１ａによる演出待ち時間の計時）を含み、前記特別遊技状態における終了条件が成立したゲームにおいては該計時手段により計時された経過時間が予め定められた時間（エンディング演出の演出待ち時間）に到達したときに前記賭数設定禁止手段による賭数の設定の禁止を解除し、
前記計時手段は、前記経過時間が前記予め定められた時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別遊技状態における終了条件が成立したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段（ＣＰＵ９１ａによる制御パターン設定処理、演出制御処理）と、
実行中の演出内容を示すデータ（制御パターン）を含む前記サブ制御手段が動作を行うためのデータを読み出し及び書き込み可能に記憶する記憶領域を有し、電力供給が停止しても該記憶領域に記憶されているデータを保持することが可能なサブデータ記憶手段（ＣＰＵ９１ｃ）と、
前記スロットマシンへの電源投入時に、前記サブデータ記憶手段に記憶されているデータに基づいて該サブ制御手段の制御状態を復帰させるサブ制御状態手段（電断時の制御パターンの復帰）と、
を含み、
前記演出実行手段は、
前記特別遊技状態における終了条件が成立したゲームの終了を示す制御情報を受信したときに、前記予め定められた時間以内の期間（エンディング演出の演出実行時間）にわたり特別遊技状態が終了した旨を示す終了演出（エンディング演出の経過段階）を実行する終了演出実行手段を含み、
該終了演出実行手段による終了演出が開始した後、該終了演出が終了する前に当該スロットマシンへの電力供給が停止した後、当該スロットマシンへの電力供給が再開され、前記サブ制御状態復帰手段により前記サブ制御手段の制御状態が復帰した場合に、前記終了演出実行手段による前記終了演出を最初から実行するとともに、
該終了演出の実行中において新たに制御情報（例えば、ＢＥＴコマンド）を受信した場合には、実行中の終了演出を終了して新たに受信した制御情報の種類に対応して定められた演出内容の演出を実行する、
ことを特徴としている。
【手続補正１５】
【補正対象書類名】明細書
【補正対象項目名】０５６２
【補正方法】変更
【補正の内容】
【０５６２】
本発明の請求項４に記載のスロットマシンは、
遊技用価値（メダル）を用いて１ゲームに対して所定数（１または３）の賭数を設定することによりゲームが開始可能となるとともに、各々が識別可能な複数種類の識別情報を変動表示可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン１であって、
遊技の制御を行うメイン制御手段（メイン制御部４１）と、
演出の制御を行うサブ制御手段（サブ制御部９１）と、
を備え、
前記メイン制御手段は、
遊技の進行に応じた複数種類の制御情報（コマンド）を前記サブ制御手段に送信する制御情報送信手段（ＣＰＵ４１ａによるコマンドの送信制御）と、
所定の設定操作手段（設定キースイッチ３７）の操作に基づいて、入賞の発生を許容する旨を決定する割合が異なる複数種類の設定値（設定値１〜６）のうちから、いずれかの設定値を選択し、該選択した設定値を設定する設定値設定手段（設定変更処理）と、
データを読み出し及び書き込み可能に記憶する記憶領域を有し、電力供給が停止しても該記憶領域に記憶されているデータを保持することが可能な記憶手段であり、前記記憶領域として前記設定値設定手段（設定変更処理）により設定された設定値を示す設定値データ（設定値ワークに格納されている設定値）及び遊技者所有の遊技用価値（クレジット９を示すデータを含む前記メイン制御手段が動作を行うためのデータが記憶されるワーク領域（重要ワーク、一般ワーク、特別ワーク、設定値ワーク、非保存ワーク）と、データを一時的に格納することが可能なスタック領域と、が少なくとも割り当てられたメインデータ記憶手段（ＲＡＭ４１ｃ）と、
前記スロットマシンへの電源供給が遮断しても前記データ記憶手段（ＲＡＭ４１ｃ）に記憶されている前記遊技の制御を行うためのデータを保持する保持手段（バックアップ電源）と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段（起動処理におけるパリティチェック）と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段（レジスタの復帰）と、
前記記憶データ判定手段により前記保持手段により保持されている前記メイン制御手段が動作を行うためのデータが電源遮断前のデータと一致しないと判定されたときに、ゲームの進行を不能化する第１の不能化手段（電源投入時のＲＡＭ異常エラー処理）と、
ゲームの開始操作がなされる毎に、前記メインデータ記憶手段（ＲＡＭ４１ｃ）から前記設定値データ（設定値ワークに格納されている設定値）を読み出し、該読み出した設定値データが示す設定値が、前記設定値設定手段により設定可能な設定値の範囲（１〜６の範囲）内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段（内部抽選）と、
前記設定値判定手段により前記読み出した設定値データが適正ではないと判定されたときに、ゲームの進行を不能化する第２の不能化手段（設定値異常によるＲＡＭ異常エラー処理）と、
前記第１の不能化手段により前記ゲームの進行が不能化された状態（電源投入時のＲＡＭ異常エラー処理）においても前記第２の不能化手段により前記ゲームの進行が不能化された状態（設定値異常によるＲＡＭ異常エラー処理）においても、前記設定操作手段（設定キースイッチ３７）の操作に基づいて前記設定値設定手段により前記設定値が新たに設定されたこと（設定変更処理により新たに設定値が選択・設定されたこと）を条件に、前記ゲームの進行が不能化された状態を解除し、ゲームの進行を可能とする不能化解除手段と、
前記メイン制御手段が使用中のデータを前記スタック領域に退避するデータ退避手段（ＣＰＵ４１ａによるレジスタの退避）と、
前記退避手段により前記スタック領域に退避したデータを前記メイン制御手段が使用するデータとして復帰させるデータ復帰手段（ＣＰＵ４１ａによるレジスタの復帰）と、
前記スタック領域のうち前記データ退避手段により退避したデータが記憶されていない未使用スタック領域を特定する未使用スタック領域特定手段（ＣＰＵ４１ａによるスタックポインタから未使用領域のサイズの計算）と、
前記メインデータ記憶手段における記憶領域の少なくとも一部を初期化する初期化手段（ＣＰＵ４１ａによるＲＡＭ４１ｃの初期化）と、
少なくとも前記メインデータ記憶手段に記憶されている遊技用価値を用いて賭数を設定する賭数設定手段（ＣＰＵ４１ａによるＢＥＴ処理）と、
所定の遊技用価値返却操作手段（精算スイッチ１０）の操作に応じて前記メインデータ記憶手段に記憶されている遊技用価値を返却させる返却制御を行う返却制御手段（ＣＰＵ４１ａによる精算処理）と、
前記遊技用価値の付与を伴う小役入賞（小役）が発生したときに、該小役入賞の種類に応じて定められた数の遊技用価値を付与する価値付与処理を行う価値付与処理手段（ＣＰＵ４１ａによる払出処理）と、
遊技状態の移行を伴う特別入賞（ビッグボーナス入賞）が発生したときに、終了条件が成立するまでの期間にわたり遊技者にとって有利な特別遊技状態（ビッグボーナス）に制御する特別遊技状態制御手段（ＣＰＵ４１ａによる遊技状態の移行制御）と、
前記ゲームが開始したときに、前記賭数設定手段による賭数の設定を禁止する賭数設定禁止手段（ＣＰＵ４１ａによる賭数設定の禁止制御）と、
前記ゲームが開始したときに、前記返却制御手段による返却制御を禁止する返却制御禁止手段（ＣＰＵ４１ａによるクレジットの精算の禁止制御）と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段（ＣＰＵ４１ａによるゲームの終了判定制御、具体的には、ゲーム終了時処理の終了によりゲームの終了が判定される）と、
前記ゲーム終了判定手段がゲームの終了を判定したことを条件に、前記賭数設定禁止手段による賭数の設定の禁止を解除する賭数設定禁止解除手段（ＣＰＵ４１ａによる賭数設定の禁止制御の解除）と、
前記ゲーム終了判定手段がゲームの終了を判定したことを条件に、前記返却制御禁止手段による返却制御の禁止を解除する返却制御禁止解除手段（ＣＰＵ４１ａによるクレジットの精算の禁止制御の解除）と、
を含み、
前記初期化手段は、前記メインデータ記憶手段の記憶領域における前記未使用スタック領域特定手段により特定される未使用スタック領域を１ゲーム毎（１ゲーム終了毎）に初期化し、
前記制御情報送信手段は、前記特別入賞が発生したときにその旨を示す制御情報（ＢＢ入賞の発生を示す入賞判定コマンド）を前記サブ制御手段に対して送信し、
前記賭数設定禁止解除手段は、前記ゲーム終了判定手段がゲームの終了を判定してからの経過時間を計時する計時手段（ＣＰＵ４１ａによる演出待ち時間の計時）を含み、前記特別入賞が発生したゲームにおいては該計時手段により計時された経過時間が所定時間（ＢＢ入賞時演出の演出待ち時間）に到達したときに前記賭数設定禁止手段による賭数の設定の禁止を解除し、
前記計時手段は、前記経過時間が前記所定時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別入賞が発生したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段（ＣＰＵ９１ａによる制御パターン設定処理、演出制御処理）と、
実行中の演出内容を示すデータ（制御パターン）を含む前記サブ制御手段が動作を行うためのデータを読み出し及び書き込み可能に記憶する記憶領域を有し、電力供給が停止しても該記憶領域に記憶されているデータを保持することが可能なサブデータ記憶手段（ＣＰＵ９１ｃ）と、
前記スロットマシンへの電源投入時に、前記サブデータ記憶手段に記憶されているデータに基づいて該サブ制御手段の制御状態を復帰させるサブ制御状態手段（電断時の制御パターンの復帰）と、
を含み、
前記演出実行手段は、
前記特別入賞の発生を示す制御情報を受信したときに、前記所定時間以内の期間（ＢＢ入賞時演出の演出実行時間）にわたり特別入賞が発生した旨を示す特別入賞時演出（ＢＢ入賞時演出の経過段階）を実行する特別入賞時演出実行手段を含み、
該特別入賞時演出実行手段による特別入賞時演出が開始した後、該特別入賞時演出が終了する前に当該スロットマシンへの電力供給が停止した後、当該スロットマシンへの電力供給が再開され、前記サブ制御状態復帰手段により前記サブ制御手段の制御状態が復帰した場合に、前記特別入賞時演出実行手段による前記特別入賞時演出を最初から実行するとともに、
該特別入賞時演出の実行中において新たに制御情報（例えば、ＢＥＴコマンド）を受信した場合には、実行中の特別入賞時演出を終了して新たに受信した制御情報の種類に対応して定められた演出内容の演出を実行する、
ことを特徴としている。
【手続補正１６】
【補正対象書類名】明細書
【補正対象項目名】０５６４
【補正方法】変更
【補正の内容】
【０５６４】
本発明の請求項５に記載のスロットマシンは、
遊技用価値（メダル）を用いて１ゲームに対して所定数（１または３）の賭数を設定することによりゲームが開始可能となるとともに、各々が識別可能な複数種類の識別情報を変動表示可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン１であって、
遊技の制御を行うメイン制御手段（メイン制御部４１）と、
演出の制御を行うサブ制御手段（サブ制御部９１）と、
を備え、
前記メイン制御手段は、
遊技の進行に応じた複数種類の制御情報（コマンド）を前記サブ制御手段に送信する制御情報送信手段（ＣＰＵ４１ａによるコマンドの送信制御）と、
所定の設定操作手段（設定キースイッチ３７）の操作に基づいて、入賞の発生を許容する旨を決定する割合が異なる複数種類の設定値（設定値１〜６）のうちから、いずれかの設定値を選択し、該選択した設定値を設定する設定値設定手段（設定変更処理）と、
データを読み出し及び書き込み可能に記憶する記憶領域を有し、電力供給が停止しても該記憶領域に記憶されているデータを保持することが可能な記憶手段であり、前記記憶領域として前記設定値設定手段（設定変更処理）により設定された設定値を示す設定値データ（設定値ワークに格納されている設定値）及び遊技者所有の遊技用価値（クレジット９を示すデータを含む前記メイン制御手段が動作を行うためのデータが記憶されるワーク領域（重要ワーク、一般ワーク、特別ワーク、設定値ワーク、非保存ワーク）と、データを一時的に格納することが可能なスタック領域と、が少なくとも割り当てられたメインデータ記憶手段（ＲＡＭ４１ｃ）と、
前記スロットマシンへの電源供給が遮断しても前記データ記憶手段（ＲＡＭ４１ｃ）に記憶されている前記遊技の制御を行うためのデータを保持する保持手段（バックアップ電源）と、
前記スロットマシンへの電源投入時に、前記メイン制御手段が動作を行うためのデータのうちの前記設定値データが適正か否かの判定を個別に行わず、前記保持手段により保持されている前記メイン制御手段が動作を行うためのデータが電源遮断前のデータと一致するか否かの判定を行う記憶データ判定手段（起動処理におけるパリティチェック）と、
前記記憶データ判定手段により前記保持手段により保持されている前記メイン制御手段が動作を行うためのデータが電源遮断前のデータと一致すると判定されたときに、前記メインデータ記憶手段に記憶されているデータに基づいて該メイン制御手段の制御状態を復帰させるメイン制御状態復帰手段（レジスタの復帰）と、
前記記憶データ判定手段により前記保持手段により保持されている前記メイン制御手段が動作を行うためのデータが電源遮断前のデータと一致しないと判定されたときに、ゲームの進行を不能化する第１の不能化手段（電源投入時のＲＡＭ異常エラー処理）と、
ゲームの開始操作がなされる毎に、前記メインデータ記憶手段（ＲＡＭ４１ｃ）から前記設定値データ（設定値ワークに格納されている設定値）を読み出し、該読み出した設定値データが示す設定値が、前記設定値設定手段により設定可能な設定値の範囲（１〜６の範囲）内である場合に前記読み出した設定値データが適正であると判定し、前記設定可能な設定値の範囲内でない場合に前記読み出した設定値データが適正ではないと判定する設定値判定手段と、
前記設定値判定手段により前記読み出した設定値データが適正であると判定したときに、該読み出した設定値データが示す設定値に応じた割合で当該ゲームにおいて入賞の発生を許容するか否かを決定する事前決定手段（内部抽選）と、
前記設定値判定手段により前記読み出した設定値データが適正ではないと判定されたときに、ゲームの進行を不能化する第２の不能化手段（設定値異常によるＲＡＭ異常エラー処理）と、
前記第１の不能化手段により前記ゲームの進行が不能化された状態（電源投入時のＲＡＭ異常エラー処理）においても前記第２の不能化手段により前記ゲームの進行が不能化された状態（設定値異常によるＲＡＭ異常エラー処理）においても、前記設定操作手段（設定キースイッチ３７）の操作に基づいて前記設定値設定手段により前記設定値が新たに設定されたこと（設定変更処理により新たに設定値が選択・設定されたこと）を条件に、前記ゲームの進行が不能化された状態を解除し、ゲームの進行を可能とする不能化解除手段と、
前記メイン制御手段が使用中のデータを前記スタック領域に退避するデータ退避手段（ＣＰＵ４１ａによるレジスタの退避）と、
前記退避手段により前記スタック領域に退避したデータを前記メイン制御手段が使用するデータとして復帰させるデータ復帰手段（ＣＰＵ４１ａによるレジスタの復帰）と、
前記スタック領域のうち前記データ退避手段により退避したデータが記憶されていない未使用スタック領域を特定する未使用スタック領域特定手段（ＣＰＵ４１ａによるスタックポインタから未使用領域のサイズの計算）と、
前記メインデータ記憶手段における記憶領域の少なくとも一部を初期化する初期化手段（ＣＰＵ４１ａによるＲＡＭ４１ｃの初期化）と、
少なくとも前記メインデータ記憶手段に記憶されている遊技用価値を用いて賭数を設定する賭数設定手段（ＣＰＵ４１ａによるＢＥＴ処理）と、
所定の遊技用価値返却操作手段（精算スイッチ１０）の操作に応じて前記メインデータ記憶手段に記憶されている遊技用価値を返却させる返却制御を行う返却制御手段（ＣＰＵ４１ａによる精算処理）と、
前記遊技用価値の付与を伴う小役入賞（小役）が発生したときに、該小役入賞の種類に応じて定められた数の遊技用価値を付与する価値付与処理を行う価値付与処理手段（ＣＰＵ４１ａによる払出処理）と、
遊技状態の移行を伴う特別入賞（ビッグボーナス入賞）が発生したときに、終了条件が成立するまでの期間にわたり遊技者にとって有利な特別遊技状態（ビッグボーナス）に制御する特別遊技状態制御手段（ＣＰＵ４１ａによる遊技状態の移行制御）と、
前記ゲームが開始したときに、前記賭数設定手段による賭数の設定を禁止する賭数設定禁止手段（ＣＰＵ４１ａによる賭数設定の禁止制御）と、
前記ゲームが開始したときに、前記返却制御手段による返却制御を禁止する返却制御禁止手段（ＣＰＵ４１ａによるクレジットの精算の禁止制御）と、
前記可変表示装置の表示結果が導出された後、前記小役入賞に対応する表示結果以外の表示結果が導出されたときには、該表示結果が導出されたときにゲームの終了を判定し、前記小役入賞に対応する表示結果が導出されたときには、該小役入賞の発生に伴う前記価値付与処理が終了したときにゲームの終了を判定するゲーム終了判定手段（ＣＰＵ４１ａによるゲームの終了判定制御、具体的には、ゲーム終了時処理の終了によりゲームの終了が判定される）と、
前記ゲーム終了判定手段がゲームの終了を判定したことを条件に、前記賭数設定禁止手段による賭数の設定の禁止を解除する賭数設定禁止解除手段（ＣＰＵ４１ａによる賭数設定の禁止制御の解除）と、
前記ゲーム終了判定手段がゲームの終了を判定したことを条件に、前記返却制御禁止手段による返却制御の禁止を解除する返却制御禁止解除手段（ＣＰＵ４１ａによるクレジットの精算の禁止制御の解除）と、
を含み、
前記初期化手段は、前記メインデータ記憶手段の記憶領域における前記未使用スタック領域特定手段により特定される未使用スタック領域を１ゲーム毎（１ゲーム終了毎）に初期化し、
前記制御情報送信手段は、前記特別遊技状態における終了条件が成立したゲームにおいて、前記ゲーム終了判定手段がゲームの終了を判定したときにその旨を示す制御情報（ビッグボーナスの終了条件が成立したゲームの終了を示す遊技状態コマンド）を前記サブ制御手段に対して送信し、
前記賭数設定禁止解除手段は、前記ゲーム終了判定手段がゲームの終了を判定してからの経過時間を計時する計時手段（ＣＰＵ４１ａによる演出待ち時間の計時）を含み、前記特別遊技状態における終了条件が成立したゲームにおいては該計時手段により計時された経過時間が予め定められた時間（エンディング演出の演出待ち時間）に到達したときに前記賭数設定禁止手段による賭数の設定の禁止を解除し、
前記計時手段は、前記経過時間が前記予め定められた時間に到達するまでに当該スロットマシンへの電力供給が停止した後、当該スロットマシンへの電力供給が再開され、前記メイン制御状態復帰手段により前記メイン制御手段の制御状態が復帰したときに、前記経過時間の計時を前記電力供給が停止したときの経過時間から再開し、
前記返却制御禁止解除手段は、前記特別遊技状態における終了条件が成立したゲームか否かに関わらず前記ゲーム終了判定手段がゲームの終了を判定したときに、前記返却制御禁止手段による返却制御の禁止を解除し、
前記サブ制御手段は、
前記メイン制御手段から前記制御情報を受信したときに、該受信した制御情報の種類に対応して定められた演出内容の演出を実行する演出実行手段（ＣＰＵ９１ａによる制御パターン設定処理、演出制御処理）と、
実行中の演出内容を示すデータ（制御パターン）を含む前記サブ制御手段が動作を行うためのデータを読み出し及び書き込み可能に記憶する記憶領域を有し、電力供給が停止しても該記憶領域に記憶されているデータを保持することが可能なサブデータ記憶手段（ＣＰＵ９１ｃ）と、
前記スロットマシンへの電源投入時に、前記サブデータ記憶手段に記憶されているデータに基づいて該サブ制御手段の制御状態を復帰させるサブ制御状態手段（電断時の制御パターンの復帰）と、
を含み、
前記演出実行手段は、
前記特別遊技状態における終了条件が成立したゲームの終了を示す制御情報を受信したときに、前記予め定められた時間以内の期間（エンディング演出の演出実行時間）にわたり特別遊技状態が終了した旨を示す終了演出（エンディング演出の経過段階）を実行する終了演出実行手段を含み、
該終了演出実行手段による終了演出が開始した後、該終了演出が終了する前に当該スロットマシンへの電力供給が停止した後、当該スロットマシンへの電力供給が再開され、前記サブ制御状態復帰手段により前記サブ制御手段の制御状態が復帰した場合に、前記終了演出実行手段による前記終了演出を最初から実行するとともに、
該終了演出の実行中において新たに制御情報（例えば、ＢＥＴコマンド）を受信した場合には、実行中の終了演出を終了して新たに受信した制御情報の種類に対応して定められた演出内容の演出を実行する、
ことを特徴としている。
【手続補正１７】
【補正対象書類名】明細書
【補正対象項目名】０５６８
【補正方法】変更
【補正の内容】
【０５６８】
本発明の請求項９に記載のスロットマシンは、請求項１〜８のいずれかに記載のスロットマシンであって、
前記スロットマシン１で用いられる所定の電力（＋２５Ｖ）の状態を監視し、電力供給が断たれたことに関わる電断条件が成立しているとき（＋１８Ｖ以下となったとき）に電断信号（電圧低下信号）を出力する電断検出手段（電断検出回路４８）を備え、
前記メイン制御手段（メイン制御部４１）は、
前記メインデータ記憶手段（ＲＡＭ４１ｃ）における前記未使用領域及び／または前記未使用スタック領域を含む全ての記憶領域のデータを所定の演算方法（排他的論理和演算）にて計算するデータ演算手段（ＣＰＵ４１ａによるＲＡＭパリティの計算）と、
前記電断検出手段から出力された前記電断信号の入力を契機に、前記データ演算手段による計算結果を特定の値（０）とするための調整用データ（パリティ調整用データ）を算出し、該算出した調整用データを前記メインデータ記憶手段に格納する電断処理（電断割込処理）を実行する電断処理実行手段（ＣＰＵ４１ａ）と、
を含み、
前記記憶データ判定手段は、前記スロットマシンへの電源投入時に、前記データ演算手段による計算結果が前記特定の値か否かを判定し、該データ演算手段による計算結果が前記特定の値であると判定したことを条件に、前記保持手段により保持されている前記メイン制御手段が動作を行うためのデータが電源遮断前のデータと一致すると判定する、
ことを特徴としている。
【手続補正１８】
【補正対象書類名】明細書
【補正対象項目名】０５７３
【補正方法】変更
【補正の内容】
【０５７３】
本発明の請求項１２に記載のスロットマシンは、請求項１〜１１のいずれかに記載のスロットマシンであって、
前記特別入賞時演出実行手段または前記終了演出実行手段は、前記特別入賞時演出（ＢＢ入賞時演出）または前記終了演出（エンディング演出）が最終段階に達した場合に、新たに制御情報（例えば、ＢＥＴコマンド）を受信するまで該最終段階の演出状態に継続して制御するとともに、
前記演出実行手段（ＣＰＵ９１ａによる制御パターン設定処理、演出制御処理）は、前記特別入賞時演出実行手段による特別入賞時演出または前記終了演出実行手段による終了演出が開始した後、新たに制御情報を受信する前に当該スロットマシンへの電力供給が停止した後、当該スロットマシンへの電力供給が再開され、前記サブ制御状態復帰手段（電断時の制御パターンの復帰）により前記サブ制御手段（サブ制御部９１）の制御状態が復帰した場合に、前記特別入賞時演出または前記終了演出が最終段階に達していたか否かを判定する最終段階判定手段（ＣＰＵ９１ａによる最終段階か否かの判定）を含み、該最終段階判定手段により前記特別入賞時演出または前記終了演出が最終段階に達していたと判定された場合には、前記特別入賞時演出実行手段による特別入賞時演出または前記終了演出実行手段による終了演出を最終段階から実行し、前記最終段階判定手段により前記特別入賞時演出または前記終了演出が最終段階に達していないと判定された場合には、前記特別入賞時演出実行手段による特別入賞時演出（ＢＢ入賞時演出の経過段階）または前記終了演出実行手段による終了演出（エンディング演出の経過段階）を最初から実行する、
ことを特徴としている。